(57)【要約】【課題】用紙加工機における紙詰まりを迅速に解消することができ、紙詰まり解消のための開放操作によって生ずるローラへの負荷を最小限に抑制する。【解決手段】給紙トレイ５１から用紙を１枚ずつ送り出す給紙ローラ４１と、その下流に設けられて用紙に所定の押圧力を加えながら搬送する搬送制御ローラ４２と、を含んで構成される用紙加工機６の給紙機構５０において、給紙ローラを、ハウジング３０に回動可能に取り付けられた筺体５２内にて保持し、その外壁に突起部５３を設け、突起部の移動範囲を規制するガイド孔５５を備えると共に搬送制御ローラの回転軸４２ａを支承する軸受部材５４を設け、その軸受部材をハウジングに設けられた長孔３１に沿って上下動可能に構成した。筐体を回動させるという単一操作の中で、筐体を持ち上げる際の力の量を段階的に増加させることで、給紙ローラと搬送制御ローラを１つずつ開放させることができる。【選択図】図１
2011073854.tif 000002
【特許請求の範囲】
【請求項１】
用紙供給部（５１）から用紙を１枚ずつ送り出す給紙ローラ（４１）と、該給紙ローラ（４１）の下流に設けられて前記用紙に所定の押圧力を加えながら搬送する搬送制御ローラ（４２）と、を含んで構成される用紙加工機（６）の給紙機構（５０）であって、
前記給紙ローラ（４１）を、ハウジング（３０）に回動可能に取り付けられた筺体（５２）内にて保持し、
該筺体（５２）の外壁に突起部（５３）を設け、
該突起部（５３）の移動範囲を規制するガイド部（５５）を備えると共に前記搬送制御ローラ（４２）の回転軸（４２ａ）を支承する軸受部材（５４）を設け、
該軸受部材（５４）を、前記ハウジング（３０）に設けられた長孔（３１）に沿って上下動可能に構成したことを特徴とする用紙加工機の給紙機構。
【請求項２】
前記搬送制御ローラ（４２）は、前記ハウジング（３０）との間に設けられた弾性部材を介して搬送路（４０）に向けて付勢されており、
前記筐体（５２）の回動によって前記軸受部材（５４）が変位し、前記弾性部材の付勢力が解除され、搬送制御ローラ（４２）が搬送路（４０）から離反するように構成したことを特徴とする請求項１に記載の用紙加工機の給紙機構。
【請求項３】
前記用紙加工機（６）は、搬送路（４０）の途中に設けられた切断刃（６１，６２）によって前記用紙を搬送方向に直交する方向に切断するカッタ機構（６０）を備えてなり、
前記搬送制御ローラ（４２）は、所定の送り量にて間欠回転することで、該カッタ機構（６０）に向けて前記用紙を送り出すことを特徴とする請求項１又は請求項２に記載の用紙加工機の給紙機構。
【発明の詳細な説明】
【技術分野】
【０００１】
本発明は、用紙に所定の加工を施すための用紙加工機における給紙機構に関し、紙詰まりを迅速に解消することができ、紙詰まり解消のための開放操作によって生ずるローラへの負荷を最小限に抑制することができる給紙機構に関する。
【背景技術】
【０００２】
カード裁断機やプリンタなど、用紙に所定の加工を施すための用紙加工機における給紙機構は、給紙トレイの中の用紙を１枚ずつ送り出す給紙ローラと、その下流に、用紙の搬送状態を制御しながら裁断ユニットや印刷ユニットへと供給する搬送制御ローラを設けたものが多いが、かかる給紙機構において、紙詰まりが発生した場合は、ローラに挟まった用紙を引き抜いたり、ローラを回転軸ごと持ち上げて開放することによって、詰まった用紙を取り除いていた。
【０００３】
この際、楽に用紙を除去できるようにするための技術として、上流側のローラの加圧状態を取り除いて搬送路を開放するガイド板と、下流側のローラの加圧手段が取り付けられて自身の開閉動作に伴って下流側ローラの搬送路を開放させるローラ支持部材と、を設け、閉じた状態のガイド板の端部にローラ支持部材を閉じ方向に付勢するための押圧部を設けると共に、該押圧部が押圧される被押圧部を前記ローラ支持部材の端部に設ける技術が提案されている（特許文献１）。
【先行技術文献】
【特許文献】
【０００４】
【特許文献１】特開平１１−２９２４２号公報
【発明の概要】
【発明が解決しようとする課題】
【０００５】
上記特許文献１の給紙機構によれば、上流側ローラを保持するガイド板を開けると、その下流にあるローラの加圧力が解除されるので、用紙が引き抜きやすくなるが、上流側ローラの開放のみで用紙を取り除くことができる場合であっても、下流側ローラまで開放されてしまい、下流側ローラの精密な押圧設計にくるいが生ずる場合があった。
【０００６】
そこで、本願発明は、用紙加工機における紙詰まりを迅速に解消することができ、紙詰まり解消のための開放操作によって生ずるローラへの負荷を最小限に抑制できる給紙機構の提供を目的とする。
【課題を解決するための手段】
【０００７】
上記課題を解決するために、本発明は、用紙供給部から用紙を１枚ずつ送り出す給紙ローラと、該給紙ローラの下流に設けられて前記用紙に所定の押圧力を加えながら搬送する搬送制御ローラと、を含んで構成される用紙加工機の給紙機構であって、前記給紙ローラを、ハウジングに回動可能に取り付けられた筺体内にて保持し、該筺体の外壁に突起部を設け、該突起部の移動範囲を規制するガイド部を備えると共に前記搬送制御ローラの回転軸を支承する軸受部材を設け、該軸受部材を、前記ハウジングに設けられた長孔に沿って上下動可能に構成したことを特徴とするものである。
【０００８】
この場合、前記搬送制御ローラは、前記ハウジングとの間に設けられた弾性部材を介して搬送路に向けて付勢されており、前記筐体の回動によって前記軸受部材が変位し、前記弾性部材の付勢力が解除され、搬送制御ローラが搬送路から離反するように構成されていてもよい。
また、前記用紙加工機は、搬送路の途中に設けられた切断刃によって前記用紙を搬送方向に直交する方向に切断するカッタ機構を備えてなり、前記搬送制御ローラは、所定の送り量にて間欠回転することで、該カッタ機構に向けて前記用紙を送り出すことを特徴とするものであってもよい。
【発明の効果】
【０００９】
請求項１に係る用紙加工機の給紙機構は、用紙を押圧しながら搬送する搬送制御ローラを給紙ローラの下流に設け、給紙ローラが保持される筐体の外壁に突起部を設け、その突起部が筐体の回動に伴って軸受部材のガイド部内を移動するようにしたので、筐体の回動範囲が規制され、給紙ローラのみを開放させることができる。給紙ローラを開放したのみでは紙を取り除くことができない場合は、更に力を加えて筐体を持ち上げることで、搬送制御ローラの回転軸を支承する軸受部材が持ち上げられ、搬送制御ローラが解放される。
【００１０】
この際、軸受部材の移動範囲は、ハウジングに設けられた長孔によって規制されるので、搬送制御ローラの変位を最小限に抑えることができる。
また、筐体を回動させるという単一操作の中で、筐体を持ち上げる際の力の量を段階的に増加させることで、給紙ローラと搬送制御ローラを１つずつ開放させることができるので、搬送制御ローラを不用意に持ち上げることもなく、ローラの押圧設計にくるいを生じさせる機会を少なくすることができる。
【００１１】
請求項２に係る用紙加工機の給紙機構は、搬送制御ローラの回転軸が、ハウジングとの間に配設された弾性部材によって搬送路に向けて付勢されており、筐体の回動に伴い突起部が軸受部材のガイド部内を移動している間は、弾性部材による付勢状態が維持される。そして、突起部がガイド部内に係止された状態で軸受部材が持ち上げられることで、弾性部材による付勢力が解除され、搬送制御ローラが搬送路から離反するので、搬送制御ローラが不用意に持ち上げられてしまうのを防止できる。
【００１２】
請求項３に係る給紙機構は、切断刃によって用紙を搬送方向に直交する方向に切断するカッタ機構を備えた用紙加工機に適用されるので、搬送制御ローラの変位によって、該搬送制御ローラに設けられている搬送制御機構にくるいが生ずるのを防止できる。
【図面の簡単な説明】
【００１３】
【図１】本発明の実施形態に係る用紙加工機の給紙機構を示す斜視図である。
【図２】上記給紙機構が組み込まれた用紙加工機を示す断面図である。
【図３】上記用紙加工機が使用されるカード作成システムの構成を示すブロック図である。
【図４】上記用紙加工機の蓋を開けた状態を示す斜視図である。
【図５】上記用紙加工機によって裁断される用紙を示す説明図である。
【図６】図２のＢ―Ｂ線矢視図である。
【符号の説明】
【００１４】
１・・・カード作成システム
２・・・用紙
３・・・カード印刷システム
４・・・用紙（カード情報が印刷された用紙）
５・・・カード
６・・・カード裁断機
８，９・・・余白部
１０・・・コンピュータ装置
１８・・・カットマーク（先端位置情報）
１９・・・ドブ用カットマーク（余白位置情報）
２０・・・プリンタ
３０・・・ハウジング
３１・・・軸受
３２・・・長孔
４０・・・搬送路
４１・・・給紙ローラ
４２・・・搬送制御ローラ
４２ａ・・・回転軸
４３・・・ローラ
５０・・・給紙機構
５１・・・給紙トレイ
５１ａ・・・位置調節装置
５２・・・筺体
５３・・・突起部
５４・・・軸受部材
５５・・・ガイド孔
５６・・・軸孔
６０・・・カッタ機構
６１、６２・・・上刃、下刃（切断刃）
７０・・・スリッタ機構
７１，７２・・・回転刃
７２・・・ボス
７４・・・弾性部材
７５・・・ガイド部材
８０・・・排出部
８１・・・屑箱
８２・・・カード受け部材
【発明を実施するための最良の形態】
【００１５】
本発明の好適な実施形態について、添付図面に基づいて説明する。なお、実施形態は以下の形態に限定されるものではなく、本発明の課題を解決しうるものであれば他の態様も実施可能である。
図１は、本発明の実施形態に係る用紙加工機の給紙機構を示す斜視図である。
【００１６】
この給紙機構５０は、図２に示すカード裁断機６に組み込まれたものである。このカード裁断機６は、図３に示すカード作成システム１において、パーソナルコンピュータ装置１０とプリンタ２０とからなるカード印刷システム３によって作成された用紙４を裁断し、所定大のカード５を作成するものである。
カード裁断機６は、Ａ４判などの規格サイズの用紙４をカードサイズに裁断するためのものであり、搬送路４０上に、給紙機構５０、カッタ機構６０、スリッタ機構７０、排出部８０を順次設けて構成される。これらの機構は、図４に示すように、ハウジング３０内において、筺体に収容された状態で配設されており、その間に配設された複数のローラ４１、４２，４３によって、給紙用トレイ５１から排出部８０に向けて搬送されるようになっている。
【００１７】
搬送路４０の最上流に設けられた給紙ローラ４１は、トレイ５１に供給された用紙４を搬送路４０へと送り出すためのローラであり、ゴムなどの摩擦計数の高い部材によって構成されており、用紙４に対して所定の押圧力を作用させながら搬送方向に向けて回転することで、束状の用紙４が一枚ずつ繰り出されるように設計されている。
給紙ローラ４１の下流に設けられた搬送制御ローラ４２は、その回転軸４２ａに接続されたステップモーターによって間欠的に回転する。このステップモーターは、予め設定された送り量に基づいて、用紙４を間欠搬送するように設計されており、先端位置検出センサＳ１からの切断開始信号に基づいて駆動される。
【００１８】
間欠搬送される用紙４には、図５に示すように、搬送方向先端部を表すためのカットマーク１８が印刷されており、先端位置検出センサＳ１は、搬送制御ローラ４２の手前を通過しようとする用紙４のカットマーク１８を読み取ることができる位置に設けられている。そして、先端位置検出センサＳ１が、先端位置情報としてのカットマーク１８を検出することで切断開始信号を生成し、搬送制御ローラ４２へと送出するようになっている。
搬送制御ローラ４２、４２は、バネ等の押圧手段によって、用紙４に所定の押圧力を作用させており、先端位置検出センサＳ１からの切断開始信号を受けることで、用紙４に施すべき切断ラインＬ１，Ｌ２、Ｌ３・・・の間隔に相当するタイミングを取りながら、カッタ機構６０に向けて用紙４を送り出す。
【００１９】
カッタ機構６０からスリッタ機構７０の間には、幅方向に切断された用紙を搬送するためのローラ４３が複数設けられている。
この搬送路４０には、前記先端位置検出センサＳ１に加えて、余白位置検出用のセンサＳ２が設けられており、これらのセンサからの信号に基づいて、カードが正しい位置で切断されるようになっている。
この余白位置検出用のセンサＳ２は、用紙４に付されたドブ用カットマーク１９を読み取ることができる位置に設けられるもので、そのセンサＳ２によって検出された余白位置情報に基づいて、位置調節装置５１ａによって用紙４の位置が調節される。
【００２０】
この位置制御装置５１ａとしては、余白位置情報に基づいて、ドブ用カットマーク１９の位置と、スリッタ機構７０のドブ落とし用回転刃７１ｂ、７２ｂの位置との誤差を検出し、誤差の分だけ用紙４の位置を幅方向に移動させるアクチュエータを有するものであれば如何なる構成であってもよく、例えば、給紙トレイ５１の側壁面に出没可能に設けられた当接面（５１ａ）であってもよい。
次に、本実施形態にかかる給紙機構５０について説明する。
【００２１】
給紙機構５０は、用紙４が積み重ねられた状態で載置される給紙トレイ５１と、筺体５２に保持された給紙ユニットと、によって構成される。
給紙ユニットは、給紙ローラ４１と搬送制御ローラ４２を有しており、これらのローラ４１，４２によって、用紙４が一枚ずつ制御しながら、カッタ機構６０へと供給する。
給紙ローラ４１は、図１に示すように、筺体５２内にて保持されており、その筺体５２は、ハウジング３０の内側の壁面に設けられた軸受３１、３１に軸支されて、回動可能に取り付けられている。
【００２２】
そして、給紙ローラ４１の保持される筺体５２の両側の外壁面には突起部５３、５３が形成されている。この突起部５３、５３は、搬送制御ローラ４２、４２の回転軸４２ａを支承する軸受部材５４、５４に設けられた円弧形状のガイド孔５５、５５に挿入されており、筺体５２の回動に伴って曲線状に移動する。
搬送制御ローラ４２の回転軸４２ａは、ハウジング３０の内壁面に設けられた長孔３２に挿入されている。
【００２３】
この搬送制御ローラ４２の回転軸４２ａは、ハウジング３０との間に配設された圧縮バネ（図示しない）によって、搬送路４０に向けて付勢されており、筐体５２の側壁の突起部５３，５３が、筐体５２の回動に伴って、軸受部材５４，５４のガイド孔５５，５５内を移動している間は圧縮バネの付勢力が維持される。
突起部５３，５３がガイド孔５５にて係止された状態で筺体５２が持ち上げられることで、軸受部材５４，５４が上昇するが、この際、圧縮バネの付勢力が解除され、搬送制御ローラ４２が搬送路４０から離反するようになっている。
このように、搬送制御ローラ４２の回転軸４２ａの両端部を、ハウジング３０の内壁面に設けられた長孔３２、３２に挿入し、その回転軸４２ａを筺体５２の回動に伴って上下動する軸受部材５４，５４で支承したので、長孔３２，３２の長さ設計に応じて、筺体５２の回動範囲や搬送制御ローラ４２の昇降範囲を規制することができる。
【００２４】
即ち、長孔３２の長さを、詰まった紙を取り除くために搬送制御ローラ４２を持ち上げるに充分な長さに設定することで、搬送制御ローラ４２が過度に持ち上げられて、押圧設計や搬送制御機能にくるいが生ずるのを防止できる。
給紙機構５０の下流には、カッタ機構６０が設けられる。
カッタ機構６０は、用紙４を搬送方向に直交する方向（即ち、幅方向）に切断するための機構であり、搬送路４０に対して幅方向に配設された上下２つの切断刃６１，６２を含んで構成される（図２参照）。
【００２５】
この場合、下刃６２は、略搬送路４１の高さまで刃先を位置させた状態で下方に固定されており、その刃先に摺接するように、上刃６１が昇降可能に配設されている。
上刃６１は、先端位置検出センサＳ１からの切断開始信号を受けて駆動し、用紙４における幅方向の裁断線の数に応じて上下動を繰り返す。例えば、図５に示すレイアウトのように、上下方向に４段のカード領域Ｒを有する切断の場合は、最上段のカード領域Ｒ１の上端ラインＬ１を切断した後、下端ラインＬ２を切断し、次のカード領域Ｒの上端ラインＬ３に至るまでのサイクルを１単位として、４サイクルの切断と、最後のラインＬ８の切断が行なわれる。この際、同様に先端位置検出センサＳ１によって動作される搬送制御ローラ４２と同期し、カード領域Ｒの長さ及び幅方向の余白の長さに応じたタイミングで上下の切断刃６１、６２が協働することで、正確な位置で用紙が切断されるようになっている。
【００２６】
カッタ機構６０の下流には、複数の搬送ローラ４３を介し、スリッタ機構７０が設けられる。
スリッタ機構７０は、用紙４を搬送方向に向けて縦方向に裁断するための機構であり、互いに逆方向に回転する一対の回転刃７１、７２によって構成される。
回転刃７１，７２は、搬送路４０を挟んで上下に設けられており、回転する刃先に沿って用紙４が搬送されることで、用紙４が搬送方向に裁断される。回転刃７１、７２は、用紙４に設けられるべき裁断線の数に応じ、搬送路４０の幅方向に複数配置される（図６参照）。
【００２７】
このスリッタ機構７０は、スリッタユニットとして筐体内に収容されており、用紙４のレイアウトに応じたスリットユニットを、適宜取り換えて使用するものであるが、本実施形態のように、用紙４の両側と中央に余白部（即ち、ドブ）を有するレイアウト１６の場合、両端に縁落とし用の回転刃７１ａ、７２ａを設け、中央にドブ落とし用の回転刃７１ｂ，７２ｂを設けた構成が採用される。
【００２８】
これらの回転刃７１，７２の回転軸は、少なくとも一方に設けられた駆動手段によって回転されるが、一方の回転刃７２ａ，７２ｂはボス７３を介して設けられた弾性部材７４によって、他方の回転刃７１ａ，７１ｂに向けて付勢されているので、夫々の回転刃７１，７２の周縁同士が互いに摺り合い、その摺り合った隙間を用紙３が通過することで、搬送方向に裁断されるようになっている。
【００２９】
ドブ落とし用の回転刃７１ｂ、７２ｂの下流には、切断された余白部９の切り屑が回り込むのを防止するためのガイド部材７５が設けられており、切り屑は屑箱８１に収容されるようになっている。
余白部が切り落とされて出来たカード５は、排出部８０からハウジング３０の外部へと排出される。
排出部８０には、カードサイズに応じた収容部を有するカード受け部材８２が取り付けられており、カードが１枚ずつ積み重ねられた状態で排出されるようになっている。
【００３０】
上記構成のカード作成システムによって、カードを作成する方法を説明する。
先ず、作成しようとするカードに関する情報をコンピュータ装置１０の画面を介して入力する。すると、入力されたカード情報Ｄに基づいて印刷情報Ｅが作成され、印刷指示の信号を受けて、その印刷情報Ｅに基づいた印刷が用紙２に施される。
そして、印刷された用紙４を裁断機６の給紙トレイ５１に供給し、裁断スイッチ（電源スイッチ）を入れることで、給紙ローラ４１が回転し、用紙４が1枚ずつ搬送される。
【００３１】
給紙トレイ５１から送り出される用紙４には、カード情報Ｄと共に、搬送方向Ａ最先端のカード領域Ｒ１の上端部を示す目印（即ち、カットマーク１８）と、切り落とされるべき余白位置を示す目印（即ち、ドブ用カットマーク１９）とが印刷されており、先ず、余白位置検出センサＳ２によって、スリッタ機構７０によって裁断されるべき余白９の位置が検出され、スリッタ機構の回転刃７１ｂ、７２ｂの位置に適合するように、搬送路４０上に設けられた位置調節装置５１ａが、用紙４を幅方向に移動させる。
【００３２】
そして、搬送制御ローラ４２の手前の先端位置センサＳ１によってカットマーク１８が検出されることで、搬送制御ローラ４２が駆動され、カッタ機構６０へと所定のタイミングで用紙４が供給される。
その後、スリッタ機構７０によって、搬送方向に沿って切断され、排出部８０から所定大のカード５が排出される。
【００３３】
給紙トレイ５１から給紙ローラ４１へと向かう途上で、紙詰まりが発生した場合は、筺体５２を持ち上げて給紙ローラ４１を開放するが、この際、筺体５２の外壁面に設けられた突起部５３、５３が、軸受部材５４、５４のガイド孔５５、５５内を移動し、その上端部において停止する。これによって、詰まった紙を取り除くのに必要な分、給紙ローラ４１が持ち上げられる。
【００３４】
紙詰まりが奥まで達している場合は、更に力を入れて、筺体５２を持ち上げる。
すると、軸受部材５４，４５が上昇し、それに支承されている搬送制御ローラ４２が上昇する。この際、搬送ローラ４２の回転軸４２ａは、ハウジング３０の内壁面に設けられた長孔３２、３２内を移動するので、搬送制御ローラ４２の昇降範囲が規制され、制御ローラ４２が過度に持ち上げられるのを防止できる。
このように、詰まった紙を引き抜きながら筺体４２を持ち上げる、という単一の動作の中で、持ち上げる際の力の量を段階的に変えることによって、給紙ローラ４１の開放と、搬送制御ローラ４２の開放を独立して行うことが可能となる。これによって、ローラ４１、４２が必要以上に持ち上げられ、押圧設計や搬送制御機能にくるいが生ずるのを防止できる。
【００３５】
なお、本実施形態に係る給紙機構は、カード裁断機に適用されるものとしたが、プリンタ、穿孔機など、1枚ずつ送り出された用紙に所定の加工を施す機械であれば、如何なる機械に適用してもよい。
また、本発明における用紙の材質は、紙に限られるものではなく、シート状のものであれば如何なる素材であってもよい。
【産業上の利用可能性】
【００３６】
本発明は、事務用に限らず、あらゆる産業分野で使用される用紙加工機の給紙機構に使用することができる。  
【図１】
2011073854.tif 000003
【図２】
2011073854.tif 000004
【図３】
2011073854.tif 000005
【図４】
2011073854.tif 000006
【図５】
2011073854.tif 000007
【図６】
2011073854.tif 000008